(57)【要約】【課題】  リップ付溝形鋼に挿入可能で剛性があり施工誤差の吸収可能なホールダウン金物およびその金具と支持ボルトとの固定構造を提供すること。【解決手段】  ホールダウン金物１におけるねじ接合用プレート４をリップ付溝形鋼９の溝内に挿入配置してリップ付溝形鋼９にねじ接合されるホールダウン金物１において、前記接合用プレート４に設けられるスチフナ３の高さ寸法を、前記リップ付溝形鋼９におけるウエブ内面とリップ部内面間の寸法に収まる寸法とし、ホールダウン金物１のスチフナ全体をリップ付溝形鋼９内に挿入配置可能にしたホールダウン金物。その金物におけるベースプレート７に、基礎１３に固定された支持ボルト２が挿通配置され、ベースプレート７の上下両側に配置されて支持ボルト２にねじ込まれた上下のナット１５，１６により、ベースプレート７を挟み込むように支持されている。【選択図】図１
2005248529.tif 000002
【特許請求の範囲】
【請求項１】
ホールダウン金物におけるねじ接合用プレートをリップ付溝形鋼の溝内に挿入配置してリップ付溝形鋼にねじ接合されるホールダウン金物において、前記接合用プレートに設けられるスチフナの高さ寸法を、前記リップ付溝形鋼におけるウエブ内面とリップ内面間の寸法に収まる寸法とし、ホールダウン金物のスチフナ全体をリップ付溝形鋼内に挿入配置可能にしたことを特徴とするホールダウン金物。
【請求項２】
接合用プレートに設けられるスチフナの板厚寸法を、ねじ接合されるねじ接合用プレートの板厚寸法よりも厚くしたことを特徴とする請求項１に記載のホールダウン金物。
【請求項３】
リップ付溝形鋼の溝内に挿入されるねじ接合用プレートを有するホールダウン金物本体に溝形鋼を用いたことを特徴とする請求項１または２に記載のホールダウン金物。
【請求項４】
ホールダウン金物におけるベースプレートの下面が、ホールダウン金物におけるねじ接合用プレートよりも下方に位置するように配置されて、前記ねじ接合用プレートがベースプレート側面で溶接により固定されていることを特徴とする請求項１〜３のいずれかに記載のホールダウン金物。
【請求項５】
請求項１〜４のいずれかのホールダウン金物における接合用プレートに縦枠材としてのリップ付溝形鋼が固定され、かつ前記ホールダウン金物におけるベースプレートに、基礎に固定された支持ボルトが挿通配置され、前記ベースプレートの上下両側に配置されて前記支持ボルトにねじ込まれた上下のナットにより、前記ベースプレートを挟み込むように支持していることを特徴とするホールダウン金物と支持ボルトとの固定構造。
【発明の詳細な説明】
【技術分野】
【０００１】
本発明は、スチ−ルハウスに使用されるホールダウン金物およびその金物と支持ボルトとの固定構造に関する。
【背景技術】
【０００２】
従来、板厚１ｍｍ前後の薄板軽量形鋼による枠材と構造用面材とによる鉄鋼系パネル構造のスチールハウスにおけるスタッド材としてのリップ付溝形鋼と、ホールダウン金物との接合構造としては、従来、図４（ａ）に示すように、（１）リップ付溝形鋼９におけるリップ部１０間に挿入可能な寸法の小型のホールダウン金物２２としたものも知られている。しかし、この場合には、ホールダウン金物２２におけるベースプレート巾が小さくなるので、ベースプレート２３に設けるボルト挿通用縦孔６の孔径が小さくなり、アンカーボルト２１に固定する場合、比較的大きな施工誤差を吸収できないという問題がある。金物の高強度化を図る場合等は太いアンカーボルトを用いるためこの問題は顕著になる。
【０００３】
そこで、図５に示すように、（２）リップ付溝形鋼９におけるリップ部１０の下部に切り欠き１８を設けて、ホールダウン金物１９における三角形状のスチフナ２０を挿入可能にして施工性を高めたホールダウン金物１９が知られている（例えば、特許文献１参照）が、薄板の切り欠き加工が必要で、また、切り欠きのある溝形鋼と切り欠きの無い溝形鋼とを準備する必要があり単一部材を使用する場合に比べて煩雑になる。
【０００４】
また、このようなホールダウン金物１９（２２）の下部構造として、（４）ホールダウン金物下部のベースプレート２３を、ホールダウン金物１９（２２）の下端から浮かして下端から離れた位置に配置して、スチフナ２０あるいは接合用プレート２６に下面側での隅肉溶接により固定する構造としたものも知られている。通常、ホールダウン金物１９（２２）は、もともと引張り荷重にしか抵抗させない金具であることもあるため、このようなホールダウン金物１９（２２）の下部構造では、ホールダウン金物１９（２２）のコ字状の下端面がコンクリート基礎１３上の下枠材１４に当接している構造であるため、大きな圧縮力を受けると局所的な圧縮荷重がコンクリート基礎１３に伝達され、コンクリート基礎１３が局部的に圧壊する恐れがあるという問題がある。
【特許文献１】特開平１１−３６４４５号公報
【発明の開示】
【発明が解決しようとする課題】
【０００５】
本発明は、前記（１）のように小型のホールダウン金物とした場合のようにベースプレートのボルト孔が小さくなることによる比較的大きな施工誤差の吸収できなくなることもなく、また、前記（２）のようにリップ付溝形鋼のリップ部に切り欠きを設ける必要がなく、リップ付溝形鋼に挿入できるホールダウン金物およびその金物と支持ボルトとの固定構造を提供することを目的とする。
また、前記の目的を達成した上で、さらに、ホールダウン金物に大きな圧縮力を受けても局所的な圧縮荷重がコンクリート基礎に伝達されることのないホールダウン金物およびその接合構造を提供することを目的とする。
【課題を解決するための手段】
【０００６】
第１発明のホールダウン金物では、ホールダウン金物におけるねじ接合用プレートをリップ付溝形鋼の溝内に挿入配置してリップ付溝形鋼にねじ接合されるホールダウン金物において、前記接合用プレートに設けられるスチフナの高さ寸法を、前記リップ付溝形鋼におけるウエブ内面とリップ内面間の寸法に収まる寸法とし、ホールダウン金物のスチフナ全体をリップ付溝形鋼内に挿入配置可能にしたことを特徴とする。
また、第２発明では、第１発明のホールダウン金物において、接合用プレートに設けられるスチフナの板厚寸法を、ねじ接合されるねじ接合用プレートの板厚寸法よりも厚くしたことを特徴とする。
また、第３発明では、第１発明または第２発明のホールダウン金物において、リップ付溝形鋼の溝内に挿入されるねじ接合用プレートを有するホールダウン金物本体に溝形鋼を用いたことを特徴とする。
また、第４発明では、第１発明〜第３発明のいずれかのホールダウン金物において、ホールダウン金物におけるベースプレートの下面が、ホールダウン金物におけるねじ接合用プレートよりも下方に位置するように配置されて、前記ねじ接合用プレートがベースプレート側面で溶接により固定されていることを特徴とする。
また、第５発明のホールダウン金物と支持ボルトとの固定構造においては、第１発明〜第４発明のいずれかのホールダウン金物における接合用プレートに縦枠材としてのリップ付溝形鋼が固定され、かつ前記ホールダウン金物におけるベースプレートに、基礎に固定された支持ボルトが挿通配置され、前記ベースプレートの上下両側に配置されて前記支持ボルトにねじ込まれた上下のナットにより、前記ベースプレートを挟み込むように支持していることを特徴とする。
【発明の効果】
【０００７】
第１発明によると、従来のように、リップ付溝形鋼のリップ部に切り欠きを設ける必要はなく、また、ベースプレートのボルト孔の孔径を大きくすることができるので、従来のようにベースプレートのボルト孔が小さくなることによる施工誤差の吸収できなくなることもなく、また、さらにリップ付溝形鋼に容易に挿入できるホールダウン金物とすることができ、施工性も向上させることができる。
第２発明によると、ねじ接合用プレートの板厚を厚くすることなくねじの孔明け加工性を保ちながら、スチフナを板厚を厚くして、ホールダウン金物の剛性を容易に高めることができる。
第３発明によると、溝形鋼を用いたので、ホールダウン金物本体を市販の溝形鋼を使用して安価に製作することができる。また、市販の溝形鋼はスチフナが先端からウェブに向かって厚くなっているので、より効果的な補剛効果が期待できる。
第４発明によると、ベースプレートの広い下面全面を有効に応力伝達面として機能させることができるので、ホールダウン金物に大きな圧縮力を受けても、従来の場合よりも圧縮応力を低減してコンクリート基礎側に伝達することができるため、従来のように小さな面積による局所的な圧縮荷重がコンクリート基礎に伝達されることのないホールダウン金物とすることができる。
第５発明によると、支持ボルトに圧縮力を伝達する構造とすることができ、ベースプレートの上下のナットおよび支持ボルトを介して基礎に圧縮力・引張力を確実に伝達することができる。
【発明を実施するための最良の形態】
【０００８】
次にこの発明を図示の実施形態に基づいて詳細に説明する。
図１は本発明の第１実施形態に係るホールダウン金物１およびその金物１とアンカーボルト２１等の支持ボルト２との固定構造を示すものであって、ホールダウン金物１は、スチフナ３部分の板厚よりも薄い板厚の帯板状の接合用プレート４とその接合用プレート４の両側部に一体に設けられて、上下方向に延長する比較的厚板のスチフナ３とを備えたホールダウン金物本体５と、ボルト挿通用の縦孔６を有するベースプレート７とにより構成されている。
【０００９】
このように、接合用プレート４部分を比較的薄くして、ねじの孔明け加工性を高め、かつスチフナ３部分を前記接合用プレート４よりも厚く、スチフナ３の上下両端部まで所定の一定巾の張り出し寸法として、ホールダウン金物本体５の上下両端部までの断面形状を溝形断面形状とすることにより、ホールダウン金物本体５全長の剛性を高めている。なお、接合用プレート４には、タッピンねじ用の複数の下孔８が左右方向および上下方向に間隔をおいて設けられている。
【００１０】
この実施形態では、断面溝状で上下方向に所定の長さのホールダウン金物本体５とされている。また、本発明では、ホールダウン金物１を縦枠材としてのリップ付溝形鋼９の溝内に、リップ付溝形鋼９のリップ部１０を切り欠くことなく配置可能にし、かつベースプレート７に設けるボルト用の縦孔６を大きくし施工誤差を吸収するため、スチフナ３外面間の外形寸法Ｌは、リップ付溝形鋼９のリップ部１０間の間隙寸法Ｓよりも大きく、また、対向するスチフナ３内面間の寸法Ｐは、リップ付溝形鋼９のリップ部１０間の間隙寸法Ｓよりも若干小さく設定され、また、スチフナ３の高さ寸法ｄは、リップ付溝形鋼１におけるウエブ１１の内面とリップ部１０内面との間の寸法Ｄに収まる寸法とし、ホールダウン金物１におけるスチフナ３全体をリップ付溝形鋼１内に挿入配置可能にしている。
【００１１】
また、スチフナ３外面間の外形寸法Ｌは、リップ付溝形鋼１におけるフランジ内面間寸法Ｌ１よりも小さく寸法とされている。また、リップ付溝形鋼１におけるリップ部１０間の寸法Ｓよりも若干小さくされた対向するスチフナ内面間隔Ｐ内に、矩形状のベースプレート７の基端側を溶接により固定している（詳細は後記する）。
【００１２】
このように、ホールダウン金物本体５の横方向の外形寸法（前記のＬとｄ）をリップ付溝形鋼１の溝部の寸法に対応させて溝内に納まる寸法に設定することにより、従来のように切り欠き加工を必要とせず、ホールダウン金物１の曲げ剛性を高め、また、対向するスチフナ３内面間の寸法程度の単純な矩形状のベースプレート７とすることができるようにし、また、ベースプレート７に設ける縦孔６を大きくして、比較的大きな施工誤差の吸収を可能にしている。そして、リップ付溝形鋼１に容易に挿入できるホールダウン金物１として、施工性を向上させている。
【００１３】
また、ねじ接合用プレート４の板厚を厚くすることなくねじの孔明け加工性を保ちながら、スチフナ３の板厚を厚くして、ホールダウン金物本体５の剛性を均等に高めている。
【００１４】
なお、ホールダウン金物本体５に、市販の溝形鋼を用いると、ホールダウン金物本体５およびホールダウン金物１を安価に製作することができる。
【００１５】
さらに、ホールダウン金物本体５の下端面から若干上方に離れた位置に、中央部にボルト挿通用の縦孔６を有するベースプレート７を浮かすように配置して、そのベースプレート７の下面側部とスチフナ３および接合用プレート４とを隅肉溶接Ｗにより一体化し、ベースプレート７を横方向に張り出すようにしている。
【００１６】
図１に示すホールダウン金物１を使用したホールダウン金物１と支持ボルト２との固定構造では、縦枠材としてのリップ付溝形鋼９にホールダウン金物１が挿通配置されて、ホールダウン金物１の接合用プレート４とリップ付溝形鋼９のウエブ１１とが複数のタッピングねじ１２により固定されたホールダウン金物付のリップ付溝形鋼９あるいは枠材が使用されている。
【００１７】
前記ホールダウン金物１におけるベースプレート７に、コンクリート基礎１３に下部が埋め込み固定されていると共にコンクリート基礎１３上に載置された断面溝形の下枠材１４の透孔に挿通配置した支持ボルト２が挿通配置され、前記ベースプレート７は予め支持ボルト２にねじ込まれた下側の受け金具としての支持ナット１５に載置され、ベースプレート７の上側から支持ボルト２にねじ込まれた上側の締め付け部材としての固定ナット１６により、前記ベースプレート７はその上下両側に配置されて前記支持ボルト２にねじ込まれた上下のナット１５，１６により、前記ベースプレート７を挟み込むように位置調整可能に支持されている。
【００１８】
このように、ホールダウン金物１のベースプレート７をその上下のナット１５，１６および支持ボルト２により支持するようにすると、ホールダウン金物１を下枠材１４から浮かした状態で配置することができ、支持ボルト２に圧縮力を伝達する構造とすることができ、ベースプレート７の上下のナット１５，１６および支持ボルト２を介してコンクリート基礎１３に圧縮力・引張力を確実に伝達することができる。
【００１９】
図２は本発明の第２実施形態を示すものであって、この実施形態では、ホールダウン金物１における対向するスチフナ３外面間の寸法Ｌを、リップ付溝形鋼９における間隔をおいて対向するフランジ内面間の寸法Ｌ１に近い寸法として、ホールダウン金物１の剛性を高め、ホールダウン金物１の接合用プレート４を広幅寸法とし、リップ付溝形鋼９におけるウエブ１１内面をそのコーナー部付近まで支承できるようにした形態である。そのため、ベースプレート７はスチフナ３間では広幅とされ、リップ部１０間では狭巾とされ、リップ付溝形鋼９の下方から前記実施形態と同様に挿入配置可能にされている。その他の構成は、前記実施形態と同様であるので、同様な部分には同様な符号を付して説明を省略する。
【００２０】
図３（ａ），（ｃ）および（ｂ），（ｄ）は、ホールダウン金物１におけるベースプレート７の配設形態の変形形態を示す第３および第４実施形態を示すものであって、（ａ）および（ｃ）に示す形態では、ホールダウン金物１におけるベースプレート７の下面が、ホールダウン金物１におけるねじ接合用プレート４およびスチフナ３よりも下方に位置するように配置されて、前記ねじ接合用プレート４が厚板のベースプレート７側面で溶接により固定されているホールダウン金物１とされている。このようにすると、ホールダウン金物本体５におけるスチフナ３および接合用プレート４の下端面を、厚板のベースプレート７側面で確実に隅肉溶接により固定することができる。なお、平面図の形態は、図１（ａ）または図２（ａ）と同様であるので省略した。
【００２１】
また、このような構成によると、ベースプレート７の広い下面全面を有効に応力伝達面として機能させることができるので、ホールダウン金物１に大きな圧縮力を受けても、従来の場合よりも圧縮応力を低減してコンクリート基礎１３側に伝達することができるため、従来のように小さな面積による局所的な圧縮荷重がコンクリート基礎１３に伝達されることのないホールダウン金物１とすることができ、下枠材１４の曲げ変形あるいはコンクリート基礎１３の圧壊を防止できる。
【００２２】
図３（ｂ）および（ｄ）に示す形態は、ベースプレート７を厚鋼板のベースプレート本体と蓋用の鋼板からなる下面板１７とにより構成した形態であり、蓋用鋼板が当金となるため溶接が容易になり、また下面に溶接がはみ出ないため製品の管理が容易になる。なお、前記の下面板１７には、ベースプレート７本体の縦孔６と同形状の縦孔６が設けられる。
【００２３】
本発明を実施する場合、図１および図２に示すベースプレート付近の構造形態に代えて、図３に示すベースプレート付近の構造形態を適宜採用してもよい。
【図面の簡単な説明】
【００２４】
【図１】本発明の第１実施形態のホールダウン金物および支持ボルトとの固定構造を示すものであって、（ａ）は平面図、（ｂ）は正面図である。
【図２】本発明の第２実施形態のホールダウン金物および支持ボルトとの固定構造を示すものであって、（ａ）は平面図、（ｂ）は正面図である。
【図３】（ａ）および（ｂ）は本発明の第３および第４実施形態のホールダウン金物および支持ボルトとの固定構造を示す正面図である。（ｃ）および（ｄ）は、それぞれ（ａ）および（ｃ）におけるホールダウン金物の底面図である。
【図４】従来のホールダウン金物およびアンカーボルトとの固定構造の一例を示すものであって、（ａ）は平面図、（ｂ）は正面図である。
【図５】従来のホールダウン金物およびアンカーボルトとの固定構造のさらに他の例を示す斜視図である。
【符号の説明】
【００２５】
１    ホールダウン金物
２    支持ボルト
３    スチフナ
４    接合用プレート
５    ホールダウン金物本体
６    縦孔
７    ベースプレート
８    下孔
９    リップ付溝形鋼
１０  リップ部
１１  ウエブ
１２  タッピングねじ
１３  コンクリート基礎
１４  下枠材
１５  支持ナット
１６  固定ナット
１７  下面板
１８  切り欠き
１９  ホールダウン金物
２０  スチフナ
２１  アンカーボルト
２２  ホールダウン金物
２３  ベースプレート
２６  接合用プレート
Ｗ    溶接
【図１】
2005248529.tif 000003
【図２】
2005248529.tif 000004
【図３】
2005248529.tif 000005
【図４】
2005248529.tif 000006
【図５】
2005248529.tif 000007